【事件の表示】
　特願２００２−１３５８５５「指針計器」拒絶査定不服審判事件〔平成１５年１１月１９日出願公開、特開２００３−３２９４９１〕について、次のとおり審決する。
【結　論】
　本件審判の請求は、成り立たない。
【理　由】
第１　手続の経緯・本願発明 
　本願は、平成１４年５月１０日の出願であって、平成１８年４月１３日付け（発送日：同月１８日）で拒絶査定がなされ、これに対して、同月２８日に拒絶査定に対する審判請求がなされたものであり、その請求項１ないし６に係る発明は、平成１８年１月２７日付け手続補正書により補正された明細書及び図面の記載からみて、その特許請求の範囲の請求項１ないし６に記載された事項により特定されるとおりのものと認められるところ、その請求項４に係る発明（以下、「本願発明」という。）は次のとおりのものである。
　「【請求項４】　指針（１２、２２、３２、４２）の回動により目盛り部（８ａ）を指示する指針計器であって、
　前記指針（１２、２２、３２、４２）を照明する第１の光源（１３、２３、３３、４３）と、
　前記目盛り部（８ａ）を照明する第２の光源（１４、２４、３４、４４）と、
　前記目盛り部（８ａ）に対応して設けられた数字部（４ｄ）を照明する第３の光源（１５、２５、３５、４５）と、
　前記指針（１２、２２、３２、４２）、前記目盛り部（８ａ）および前記数字部（４ｄ）の背景を構成する背景部（８ｂ）と、
　前記背景部（８ｂ）を照明する第４の光源（６１）と、
　前記第１乃至第４の光源（１３〜４３、１４〜４４、１５〜４５、６１）と電源（７１）とを接続するスイッチ手段（７２）とを備え、
　前記スイッチ手段（７２）の投入が遮断されて前記第１乃至第４の光源（１３〜４３、１４〜４４、１５〜４５、６１）への電力供給が遮断される際に、最初に前記第３の光源（１５、２５、３５、４５）への電力供給が遮断され、次に前記第２の光源（１４、２４、３４、４４）と前記第４の光源（６１）への電力供給が同時に遮断され、最後に前記第１の光源（１３、２３、３３、４３）への電力供給が遮断されるように、前記各光源（１３〜４３、１４〜４４、１５〜４５、６１）への電力遮断時期に時差をもたせたことを特徴とする指針計器。」
　
第２　引用刊行物に記載された発明
　原査定の拒絶の理由に引用された本願出願前に頒布された刊行物である特開２００２−５６９７号公報（公開日：平成１４年１月９日。以下、「引用刊行物」という。）には、図面とともに以下の事項が記載されている。
　
　１　「【０００１】【発明の属する技術分野】本発明は、例えば、車両に採用するに適した計器に関する。
【０００２】【従来の技術】特開平９−２８７９８０号公報に記載の計器は、目盛盤の目盛り表示部の外周に円筒状の導光部材が配置され、その導光部材は目盛盤側から運転者側に向かって延びた筒部の先端が発光するようになっている。
【０００３】【発明が解決しようとする課題】しかし、上記計器では、導光部材は装飾や警報表示のためにその先端が光るだけで、目盛盤の照明等に寄与するものではないため、かわり映えのしない画一的な見栄えとなっている。
【０００４】そこで、本発明は、このようなことに対処するため、導光部材でもって斬新な見栄えを提供し得る計器を提供することを目的とする。」
　２　「【００１２】【発明の実施の形態】（実施形態）図１〜図３は、本発明に係る自動車用車速計の一実施形態を示すもので、図１は車速計の正面図、図２は図１のＡ−Ａ断面図、図３は図２のＢ部の拡大断面図である。
【００１３】図１〜図３において、目盛盤１０は略円板状の透明樹脂製で、円弧状に目盛りが配置された目盛り表示部１０ａを、その表面側（運転者側）に印刷形成している。
【００１４】目盛盤１０の表面側には、例えばアクリルよりなる導光部材２０が設置されている。この導光部材２０は、目盛り表示部１０ａに沿った円弧状部分２０ａと下端側の直線状部分２０ｂとを有する略リング状に形成されており、円弧状部分２０ａが目盛り表示部１０ａを覆っている。
【００１５】また、導光部材２０は、断面が略三角形状になっており、表面側には２つの斜面、すなわち、内周側斜面部２０ｃと外周側斜面部２０ｄが形成され、裏面側には底面部２０ｅが形成されている。そして、底面部２０ｅが目盛盤１０に密着している。
【００１６】導光部材２０の外周側斜面部２０ｄの表面側には、例えばＡＢＳ樹脂に金属調メッキ（例えばクロムメッキ）を施した遮光部材３０が配置されている。この遮光部材３０は、導光部材２０と同様に円弧状部分３０ａと直線状部分３０ｂとを有する略リング状に形成されている。そして、この遮光部材３０と見返し板４０とによって導光部材２０の外周側斜面部２０ｄを覆っている。
【００１７】目盛盤１０の裏面側には例えばアクリルよりなる拡散板５０が密着配置され、さらに目盛盤１０の裏面側において所定間隔離れた位置にプリント配線板６０が取り付けられている。
【００１８】配線板６０の裏面側には回動内機７０が配設され、この回動内機７０の指針軸７１の先端に導光性指針８０が取り付けられている。
【００１９】また、配線板６０の表面側には、例えば発光ダイオードからなる３つの光源９１、９２、９３が配設されている。そして、第１光源９１の光は目盛盤１０を通過して導光部材２０に入射し、第２光源９２の光は拡散板５０に導かれて目盛盤１０にその裏面から入射し、第３光源９３の光は目盛盤１０の貫通穴１０ａを通って指針８０に入射する。
【００２０】以上のように構成した本実施形態において、第１光源９１が点灯すると、第１光源９１の光が目盛盤１０を通過して導光部材２０に入射され、導光部材２０が発光する。ここで、導光部材２０の外周側斜面部２０ｄは、遮光部材３０と見返し板４０とによって覆われているため、運転者は、導光部材２０の内周側斜面部２０ｃが発光した状態を視認する。なお、遮光部材３０は、第１光源９１が運転者から直接視認されるのを防止する。
【００２１】また、導光部材２０に入射した光は、図３の矢印Ｃのように、導光部材２０内で反射して目盛り表示部１０ａに照射され、これにより、目盛り表示部１０ａは表面側から照明される。
【００２２】一方、第２光源９２が点灯すると、第２光源９２の光は拡散板５０に導かれて目盛盤１０にその裏面から入射し、これにより目盛盤１０が透過照明される。また、第３光源９３が点灯すると、第３光源９３の光は目盛盤１０の貫通穴１０ａを通って指針８０に入射し、これにより指針８０が発光する。
【００２３】以上説明したように、第１光源９１の点灯時には、導光部材２０の内周側斜面部２０ｃが発光するため、装飾性が向上する。また、導光部材２０により第１光源９１の光が目盛り表示部１０ａに照射されるため、目盛盤１０においては、目盛り表示部１０ａから指針８０の回動中心部に向かって次第に光度が低下し、目盛り表示部１０ａを際立たせて表示させ得る。従って、導光部材２０を設けたことにより、内周側斜面部２０ｃの発光と目盛り表示部１０ａの際立った表示とが相俟って、斬新な見栄えを提供し得る。
【００２４】また、第１光源９１とともに第２光源９２も点灯すると、目盛盤１０が透過照明される。これにより、目盛り表示部１０ａは表面側から照明されると共に、目盛盤１０全体が透過照明されて、さらに斬新な見栄えとなる。」
　３　「【００２８】また、イグニッションスイッチをオンした際に、例えば、指針用の第３光源９３点灯→導光部材２０用の第１光源９１点灯→目盛盤１０用の第２光源９２点灯といった、時差点灯を行うことにより、斬新な見栄えを提供し得る。なお、時差点灯を行う際の点灯順序は、上記した順序以外でもよい。また、イグニッションスイッチをオフした際に、時差消灯を行ってもよい。」
　４　図面の図１から、目盛り表示部１０ａの目盛りに対応させて数字を表示した領域が目盛板１０に設けられていることが見て取れる。
　また、図１から、導光性指針８０が目盛り表示部１０ａの目盛りを指示することが見て取れる。
　　
　上記摘記事項１ないし４から、引用刊行物には、次の発明（以下、「引用発明」という。）が記載されているものと認められる。
　「自動車用車速計であって、
　目盛盤１０は略円板状の透明樹脂製で、円弧状に目盛りが配置された目盛り表示部１０ａを、その表面側（運転者側）に印刷形成しており、さらに、目盛り表示部１０ａの目盛りに対応させて数字を表示した領域が設けられており、
　目盛盤１０の裏面側には例えばアクリルよりなる拡散板５０が密着配置され、さらに目盛盤１０の裏面側において所定間隔離れた位置にプリント配線板６０が取り付けられており、
　配線板６０の裏面側には回動内機７０が配設され、この回動内機７０の指針軸７１の先端に目盛り表示部１０ａの目盛りを指示する導光性指針８０が取り付けられており、
　配線板６０の表面側には、例えば発光ダイオードからなる３つの光源９１、９２、９３が配設されており、
　第１光源９１の光は目盛盤１０を通過して導光部材２０に入射し、第２光源９２の光は拡散板５０に導かれて目盛盤１０にその裏面から入射し、第３光源９３の光は目盛盤１０の貫通穴１０ａを通って指針８０に入射するものであり、
 第１光源９１が点灯すると、第１光源９１の光が目盛盤１０を通過して導光部材２０に入射され、導光部材２０に入射した光は、導光部材２０内で反射して目盛り表示部１０ａに照射され、これにより、目盛り表示部１０ａは表面側から照明され、
　第２光源９２が点灯すると、第２光源９２の光は拡散板５０に導かれて目盛盤１０にその裏面から入射し、これにより目盛盤１０全体が透過照明され、
　第３光源９３が点灯すると、第３光源９３の光は目盛盤１０の貫通穴１０ａを通って指針８０に入射し、これにより指針８０が発光するものであり、
　イグニッションスイッチをオンした際に、例えば、指針用の第３光源９３点灯→導光部材２０用の第１光源９１点灯→目盛盤１０用の第２光源９２点灯といった、時差点灯を行うことにより、斬新な見栄えを提供し得るものであり、時差点灯を行う際の点灯順序は、上記した順序以外でもよく、また、イグニッションスイッチをオフした際に、時差消灯を行ってもよい自動車用車速計。」
　
第３　対比・判断  
　１　本願発明と引用発明との対比
　（１）引用発明の「自動車用車速計」、「導光性指針８０」、「目盛り表示部１０ａ」、「数字を表示した領域」、「第１光源９１」、「第３光源９３」は、それぞれ、本願発明の「指針計器」、「指針（１２、２２、３２、４２）」、「目盛り部（８ａ）」、「数字部（４ｄ）」、「第２の光源（１４、２４、３４、４４）」、「第１の光源（１３、２３、３３、４３）」に相当する。
　（２）引用発明の「目盛盤１０」は、「目盛り表示部１０ａを、その表面側（運転者側）に印刷形成しており、さらに、目盛り表示部１０ａの目盛りに対応させて数字を表示した領域が設けられており」、「導光性指針８０」により「目盛り表示部１０ａの目盛りを指示」されるものであり、さらに、「目盛盤１０の裏面側には例えばアクリルよりなる拡散板５０が密着配置され」、「第２光源９２が点灯すると、第２光源９２の光は拡散板５０に導かれて目盛盤１０にその裏面から入射し、これにより目盛盤１０全体が透過照明され」るものであるから、引用発明の「目盛盤１０」は、本願発明の「前記指針（１２、２２、３２、４２）、前記目盛り部（８ａ）および前記数字部（４ｄ）の背景を構成する背景部（８ｂ）」に相当し、引用発明の「第２光源９２」は、本願発明の「第４の光源（６１）」に相当する。
　（３）引用発明は、「イグニッションスイッチをオンした際に、例えば、指針用の第３光源９３点灯→導光部材２０用の第１光源９１点灯→目盛盤１０用の第２光源９２点灯といった、時差点灯を行うことにより、斬新な見栄えを提供し得るものであり、また、イグニッションスイッチをオフした際に、時差消灯を行ってもよい」ものであるから、イグニッションスイッチのオンオフに伴い、各光源を点灯、消灯するためのスイッチ手段及び電源を具備するものである。
　したがって、引用発明は、各光源と電源とを接続するスイッチ手段とを備える点で本願発明と共通する。
　
　したがって、本願発明と引用発明とは、次の一致点で一致し相違点で相違する。
［一致点］　「指針の回動により目盛り部を指示する指針計器であって、
　前記指針を照明する第１の光源と、
　前記目盛り部を照明する第２の光源と、
　前記目盛り部に対応して設けられた数字部と、
　前記指針、前記目盛り部および前記数字部の背景を構成する背景部と、
　前記背景部を照明する第４の光源と、
　前記各光源と電源とを接続するスイッチ手段とを備え、
　前記スイッチ手段の投入が遮断されて前記各光源への電力供給が遮断される際に、
　各光源への電力遮断時期に時差をもたせたことを特徴とする指針計器。」
　
［相違点］　本願発明が、「数字部（４ｄ）を照明する第３の光源（１５、２５、３５、４５）」を備え、「前記第１乃至第４の光源（１３〜４３、１４〜４４、１５〜４５、６１）と電源（７１）とを接続するスイッチ手段（７２）とを備え、
　前記スイッチ手段（７２）の投入が遮断されて前記第１乃至第４の光源（１３〜４３、１４〜４４、１５〜４５、６１）への電力供給が遮断される際に、最初に前記第３の光源（１５、２５、３５、４５）への電力供給が遮断され、次に前記第２の光源（１４、２４、３４、４４）と前記第４の光源（６１）への電力供給が同時に遮断され、最後に前記第１の光源（１３、２３、３３、４３）への電力供給が遮断されるように、前記各光源（１３〜４３、１４〜４４、１５〜４５、６１）への電力遮断時期に時差をもたせた」のに対し、引用発明は、数字を表示した領域を照明する光源、該光源と電源とを接続するスイッチ手段を具備しておらず、各光源への電力供給が遮断される順序も特定されていない点。
　
　２　判断
　上記相違点について検討する。
　計器において、目盛りに対応して設けられた数字を照明する光源を設けることは周知（例えば、特開２００１−８３９１３号公報（特に、段落【００３４】の「すなわち、図２に示すように、照明灯５１、５２、５３、５４（照明灯５２、５３はリング形状の蛍光灯、照明灯５１、５４は電球）のそれぞれに導光部材１０が設けられており、照明灯５１、５２、５３、５４から出射された光の一部が導光部材１０を介して透光性樹脂から成る指針４１、４２、４３、４４に導かれ、指針４１、４２、４３、４４の全体が発光する。また、照明灯５１、５２、５３、５４から出射された光の他部は、透光性樹脂より成る文字盤３の目盛部分、数字部分を透過する。」という記載及び図２の記載参照）、特開平１１−１９０６４０号公報参照）であるから、引用発明において、数字を表示した領域を照明する光源を設けることは当業者が必要に応じて適宜なし得たことである。
　そして、引用発明は、各部の照明を行う各光源を時差点灯あるいは時差消灯することにより斬新な見栄えを提供するものであり、しかも、その順序は一例として挙げられた順序以外でもよいのであって特定のものに限られるものではないから、数字を照明する光源も含めて、各光源を時差消灯する順序を適宜工夫して上記相違点に係る本願発明のような態様のものとすることは当業者が容易に想到し得たことである。
　
　そして、本願発明の奏する効果は、引用発明及び周知技術から当業者が予測し得る範囲内のものであり、格別のものではない。  
　よって、本願発明は、引用発明及び周知技術に基づいて当業者が容易に発明をすることができたものである。
　
第４　むすび
　以上のとおりであるから、本願発明は、特許法第２９条第２項の規定により特許を受けることができないものである。
　そして、本願発明（請求項４に係る発明）が特許を受けることができないものであるから、その余の請求項１ないし３、５及び６に係る発明について検討するまでもなく、本願は、拒絶すべきものである。
　よって、結論のとおり審決する。